(57)【要約】【課題】コンパクトに収納できる歩行型作業機を提供する。【解決手段】モータ（駆動部）の駆動を操作するスイッチレバー（操作手段）１３を備えたハンドル（ハンドル）１２と、そのハンドル１２を一端に設けたフレーム２０と、そのフレーム２０の他端に取り付けられた耕耘部（作業部）１９とを備え、スイッチレバー１３を操作してモータの駆動を伝達し作業を行う歩行型耕耘機１１において、フレーム２０の中間部にて折り畳み可能とするネジ（回動部）２１Ａを備える。【選択図】図１
2006180749.tif 000002
【特許請求の範囲】
【請求項１】
駆動部の駆動を操作する操作手段を備えたハンドルと、
該ハンドルを一端に設けたフレームと、
該フレームの他端に取り付けられた作業部とを備え、
前記操作手段を操作して前記駆動部の駆動を伝達し作業を行う歩行型作業機において、
前記フレームの中間部にて折り畳み可能とする回動部を備えることを特徴とする、歩行型作業機。
【請求項２】
前記回動部が、締め付けることによって前記フレームの中間部を折り畳み不可とするネジであることを特徴とする、請求項１に記載の歩行型作業機。
【請求項３】
前記フレームが回動部を介して折り畳み可能であるとともに、伸張時にストッパに当接することを特徴とする、請求項１に記載の歩行型作業機。
【発明の詳細な説明】
【技術分野】
【０００１】
本発明は、駆動部の駆動を操作する操作手段を備えたハンドルと、そのハンドルを一端に設けたフレームと、そのフレームの他端に取り付けられた作業部とを備え、操作手段を操作して駆動部の駆動を伝達し作業を行う歩行型作業機に関する。
【背景技術】
【０００２】
従来の歩行型耕耘機（歩行型作業機）は、モータの駆動を操作するアクセルレバー（操作手段）を備えたハンドルと、そのハンドルを一端に設けたフレームと、そのフレームの他端に取り付けられたロータリー耕耘爪を有する耕耘部（作業部）とを備え、アクセルレバーを操作してモータの駆動を伝達し耕耘作業を行う（例えば特許文献１）。
【０００３】
【特許文献１】特願２００１−１６９６０２号公報
【発明の開示】
【発明が解決しようとする課題】
【０００４】
しかし  このような歩行型耕耘機では、長いフレームの一端にハンドルを備え、他端にロータリー耕耘爪を備えているため、縦長な構造となり広い収納スペースを必要とするという問題があった。
そこでこの発明の目的は、コンパクトに収納できる歩行型作業機を提供することにある。
【課題を解決するための手段】
【０００５】
このため請求項１に記載の発明は、駆動部の駆動を操作する操作手段を備えたハンドルと、
該ハンドルを一端に設けたフレームと、
該フレームの他端に取り付けられた作業部とを備え、
前記操作手段を操作して前記駆動部の駆動を伝達し作業を行う歩行型作業機において、
前記フレームの中間部にて折り畳み可能とする回動部を備えることを特徴とする。
【０００６】
請求項２に記載の発明は、請求項１に記載の歩行型作業機において、前記回動部が、締め付けることによって前記フレームの中間部を折り畳み不可とするネジであることを特徴とする。
【０００７】
請求項３に記載の発明は、請求項１に記載の歩行型作業機において、前記フレームが回動部を介して折り畳み可能であるとともに、伸張時にストッパに当接することを特徴とする。
【発明の効果】
【０００８】
請求項１に記載の発明によれば、駆動部の駆動を操作する操作手段を備えたハンドルと、そのハンドルを一端に設けたフレームと、そのフレームの他端に取り付けられた作業部とを備え、操作手段を操作して駆動部の駆動を伝達し作業を行う歩行型作業機において、フレームの中間部にて折り畳み可能とする回動部を備えるので、歩行型作業機を保管するときは、回動部を中心としてフレームを折り畳むことができ、少ない収納スペースでコンパクトに収納できる歩行型作業機を提供することができる。
【０００９】
請求項２に記載の発明によれば、回動部が、締め付けることによってフレームの中間部を折り畳み不可とするネジであるので、簡単な構成で容易にフレームの中間部を折り畳み不可とすることができる。
【００１０】
請求項３に記載の発明によれば、フレームが回動部を介して折り畳み可能であるとともに、伸張時にストッパに当接するので、折り畳んだフレームを伸張する際、一方のフレームがストッパに当接するので、伸張時のフレーム位置をストッパで容易に位置決めすることができる。また、他方のフレームに直接当接することがなく、フレーム同士が当接することによる傷やゆがみを防止することができる。
【発明を実施するための最良の形態】
【００１１】
以下、図面を参照しつつ、この発明を実施するための最良の形態について詳述する。
図１は、本発明の歩行型作業機の一例としての歩行型耕耘機を示す正面図であり、図２は側面図である。
この例の歩行型耕耘機１１は、金属製パイプを略コ字状に形成した上部フレーム２０Ａと、その上部フレーム２０Ａとネジ（回動部）２１Ａおよびナット２１Ｂを介して取り付けられた金属製パイプを略コ字状に形成した下部フレーム２０Ｂとを備える。上部フレーム２０Ａの中央にはハンドル１２およびスイッチレバー１３が設けられている。また、下部フレーム２０Ｂの両端部には耕耘部（作業部）１９を備え、下部フレーム２０Ｂの中間部にはバッテリー、制御部などを内蔵するとともにメインスイッチを表面に設けた、ケース２２を不図示のボルトにより取り付ける。なお、上部フレーム２０Ａと下部フレーム２０Ｂとでフレーム２０を構成する。
【００１２】
上部フレーム２０Ａと下部フレーム２０Ｂとは詳しくは次のように取り付けられている。すなわち、上部フレーム２０Ａの両端を幅方向に屈曲させて絞るとともに両端をつぶしてそのほぼ中央にそれぞれ貫通孔を開口する。一方、略コ字状に形成した下部フレーム２０Ｂの２つの屈曲部より先端側にそれぞれ貫通孔を設ける。そして、上部フレーム２０Ａの貫通孔と下部フレーム２０Ｂの貫通孔とを合わせて、ネジ２１Ａを内側より差し込む。上部フレーム２０Ａの外側に貫通させたネジ２１Ａの先端にはナット２１Ｂをネジつける。このようにして、上部フレーム２０Ａと下部フレーム２０Ｂとを取り付ける。
【００１３】
耕耘部１９は、ドラム状のロータ１４と、そのロータ１４の周面に形成された３つのステー１５ａにボルトなどで取り付けられた耕耘爪１５とを備える。なお、図１においては周面に設けられた耕耘爪１５の一部が示されている。
ロータ１４の内部には、ロータ１４を回転させるためのモータ（駆動部）が固設され、そのモータから駆動軸１４ａを延設する。２つの駆動軸１４ａの先端には雄ネジが形成されている。下部フレーム２０Ｂの両端は、つぶされてそのほぼ中央にそれぞれ開口Ｏが形成される。この開口Ｏに駆動軸１４ａを取り付け、駆動軸１４ａの先端よりナット１６をネジつけて、ロータ１４を下部フレーム２０Ｂに取り付ける。
【００１４】
このように構成された歩行型耕耘機１１を収納するには、まず、フレーム２０の中間部にある２つのネジ２１Ａを緩め、上部フレーム２０Ａをネジ２１Ａを回動中心として図３中で矢印方向に回動させて折り畳み、格納状態とする。次に、ネジ２１Ａを締めつめて上部フレーム２０Ａを下部フレーム２０Ｂに格納状態で固定する。この状態で収納場所に搬送して保管する。
また、収納場所に保管された歩行型耕耘機１１を使用するときは、歩行型耕耘機１１を保管場所から所望のセット位置に搬送する。次に、両側のネジ２１Ａを緩めて、上部フレーム２０Ａを図３中の矢印と反対方向に回動させて伸張状態にする。そして、ネジ２１Ａを締め付けて上部フレーム２０Ａを下部フレーム２０Ｂに伸張状態で固定する。これによりフレーム２０は折り畳み不可となる。
さらに、耕作地に搬送して、不図示のメインスイッチをＯＮとしてハンドル１２に手をかけてスイッチレバー１３を握る。すると、モータが回転して耕耘爪１５が回転する。この状態で作業者は歩行型耕耘機１１を押して耕作地を耕耘する。
【００１５】
以上、詳述したように、この発明の歩行型耕耘機１１は、モータ（駆動部）の駆動を操作するスイッチレバー（操作手段）１３を備えたハンドル（ハンドル）１２と、そのハンドル１２を一端に設けたフレーム２０と、そのフレーム２０の他端に取り付けられた耕耘部（作業部）１９とを備え、スイッチレバー１３を操作してモータの駆動を伝達し作業を行うもので、フレーム２０の中間部にて折り畳み可能とするネジ（回動部）２１Ａを備える。また、ネジ２１Ａが、締め付けることによってフレーム２０の中間部を折り畳み不可とする。
【００１６】
なお、歩行型耕耘機は図４，５に示すように構成してもよい。すなわち、歩行型耕耘機３１は、金属製パイプを略コ字状に形成した上部フレーム４０Ａと、その上部フレーム４０Ａとネジ（回動部）４２およびナットを介して取り付けられた金属製パイプを略コ字状に形成した下部フレーム４０Ｂとを備える。上部フレーム４０Ａの中央にはハンドル１２およびスイッチレバー１３が設けられている。また、下部フレーム４０Ｂの両端部には耕耘部（作業部）１９を備え、下部フレーム４０Ｂの中間部にはバッテリー、制御部などを内蔵するとともにメインスイッチを表面に設けた、ケース２２を不図示のボルトにより取り付ける。なお、上部フレーム４０Ａと下部フレーム４０Ｂとでフレーム４０を構成する。
【００１７】
上部フレーム４０Ａと下部フレーム４０Ｂとは詳しくは次のように取り付けられている。すなわち、上部フレーム４０Ａの両端にそれぞれ貫通孔を開口する。一方、略コ字状に形成した下部フレーム４０Ｂの２つの屈曲部より先端側にそれぞれ取付部４０ＢＢを設ける。この取付部４０ＢＢは鉄板に貫通孔を設けたもので、溶接などによって下部フレーム４０Ｂに固設する。そして、上部フレーム４０Ａの貫通孔と下部フレーム４０Ｂの取付部４０ＢＢの貫通孔とを合わせて、ネジ４２を外側より差し込む。上部フレーム４０Ａの内側に貫通させたネジ４２の先端にはナット４３をネジつける。このようにして、上部フレーム４０Ａと下部フレーム４０Ｂとを取り付ける。一方、フレームの２つの屈曲部と取付部４０ＢＢとの間にはそれぞれストッパ４１をネジなどによって取り付ける。このストッパ４１は硬質の樹脂製で、上部フレーム４０Ａが下部フレーム４０Ｂと直接当接することを防止するものであるとともに、上部フレーム４０Ａを伸張したときに適切な位置決めができるようにするためのものである。なお、ストッパ４１は硬質のゴム製であってもよい。
なお、耕耘部１９の構成は上述の例と同様であるので説明を省略する。
【００１８】
このように構成された歩行型耕耘機３１を収納するには、まず、フレーム４０の中間部にある２つのネジ４２を緩め、上部フレーム４０Ａをネジ４２を回動中心として図６中で矢印方向に回動させて折り畳み、格納状態とする。次に、ネジ４２を締めつめて上部フレーム４０Ａを下部フレーム４０Ｂに格納状態で固定する。この状態で収納場所に搬送して保管する。
また、収納場所に保管された歩行型耕耘機３１を使用するときは、歩行型耕耘機３１を保管場所から所望のセット位置に搬送する。次に、両側のネジ４２を緩めて、上部フレーム４０Ａを図６中の矢印と反対方向に回動させてストッパ４１に当接させて位置決めし、伸張状態にする。そして、ネジ４２を締め付けて上部フレーム４０Ａを下部フレーム４０Ｂに伸張状態で固定する。
さらに、耕作地に搬送して、不図示のメインスイッチをＯＮとしてハンドル１２に手をかけてスイッチレバー１３を握る。すると、モータが回転して耕耘爪１５が回転する。この状態で作業者は歩行型耕耘機１１を押して耕作地を耕耘する。
すなわち、上部フレーム４０Ａ、下部フレーム４０Ｂがネジ４２を介して折り畳み可能であるとともに、伸張時にストッパ４１に当接する。
【００１９】
なお、上述の例では、歩行型作業機の一例として農作業に用いる歩行型耕耘機について説明したが、この発明はこれに限定されるものではなく、歩行型芝刈機などに適用してもよい。
【図面の簡単な説明】
【００２０】
【図１】本発明の歩行型作業機の一例としての歩行型耕耘機を示す正面図である。
【図２】図１に示す歩行型耕耘機の側面図である。
【図３】図１，２に示す歩行型耕耘機を収納状態としたときの側面図である。
【図４】歩行型耕耘機の別の例を示す正面図である。
【図５】図４に示す歩行型耕耘機の側面図である。
【図６】図４，５に示す歩行型耕耘機を収納状態としたときの側面図である。
【符号の説明】
【００２１】
１１，３１    歩行型耕耘機（歩行型作業機）
１２    ハンドル
１３    スイッチレバー（操作手段）
１４    ロータ
１４ａ    駆動軸
１５    耕耘爪
１５ａ    ステー
１９    耕耘部（作業部）
２０，４０    フレーム
２０Ａ，４０Ａ    上部フレーム（フレーム）
２０Ｂ，４０Ｂ    下部フレーム（フレーム）
２１Ａ，４２    ネジ（回動部）
２１Ｂ，４３    ナット
２２    ケース
４０ＢＢ    取付部
４１    ストッパ
Ｏ    開口
【図１】
2006180749.tif 000003
【図２】
2006180749.tif 000004
【図３】
2006180749.tif 000005
【図４】
2006180749.tif 000006
【図５】
2006180749.tif 000007
【図６】
2006180749.tif 000008